(57)【要約】【課題】昇降式の構成、又は、固定式の構成において、ディスク装置内の高さ方向が十分に大きくない場合や、光ピックアップユニット自体や信号処理用の回路規模が大きい場合であっても、ディスクローディング装置と基板のディスク装置内への収容を実現し易いディスクローディング装置を提供する。【解決手段】ディスク４０が搬入されてきたときの前記ディスクの面である搬送面Ｓ１に対して、前記ディスクがターンテーブル１１に係合した後に前記ディスクが再生されるときの前記ディスクの面である再生面Ｓ２が所定の角度ａの傾きを有するように設けられ、前記傾きは、前記ディスクローディング装置のうち前記ディスクが前記ディスクローディング装置に搬入されてきた側の先端部が相対的に下方に配置され、前記ディスクローディング装置のうち前記先端部と反対側の基端部が相対的に上方に配置されることによって設けられている。【選択図】        図５
2006164469.tif 000002
【特許請求の範囲】
【請求項１】
ディスクと係合するターンテーブルを備えたディスクローディング装置であって、
前記ディスクが搬入されてきたときの前記ディスクの面である搬送面に対して、前記ディスクが前記ターンテーブルに係合した後に前記ディスクが再生されるときの前記ディスクの面である再生面が所定の角度の傾きを有するように設けられ、
前記傾きは、前記ディスクローディング装置のうち前記ディスクが前記ディスクローディング装置に搬入されてきた側の先端部が相対的に下方に配置され、前記ディスクローディング装置のうち前記先端部と反対側の基端部が相対的に上方に配置されることによって設けられる
ことを特徴とするディスクローディング装置。
【請求項２】
請求項１記載のディスクローディング装置において、
前記ディスクローディング装置は、前記ディスクを前記ターンテーブルに係合させるに際して、前記ディスクローディング装置が揺動することなく固定されたままの状態とされている
ことを特徴とするディスクローディング装置。
【請求項３】
請求項１記載のディスクローディング装置において、
前記ディスクローディング装置は、前記搬送面と前記再生面との間で揺動することによって前記ディスクを前記ターンテーブルに係合させる構成である
ことを特徴とするディスクローディング装置。
【請求項４】
請求項３記載のディスクローディング装置において、
更に、
前記ディスクローディング装置の前記揺動の動作を利用して前記ディスクローディング装置への前記ディスクの搬入経路を開閉する動作を行う二重挿入抑制部材を備えた
ことを特徴とするディスクローディング装置。
【請求項５】
請求項１から４のいずれか１項に記載のディスクローディング装置と、
前記ディスクの再生に用いられる光ピックアップユニットと、
前記光ピックアップユニットの信号の信号処理を行う回路が形成された基板と、
前記ディスクローディング装置、前記光ピックアップユニット、及び前記基板を収容するディスクドライブケースと
を備えたディスク装置であって、
前記基板は、前記ディスクドライブケース内において、前記ディスクローディング装置の前記基端部の下方に設けられ、
前記ディスクは、前記ディスクドライブケース内において、前記ディスクローディング装置の前記先端部の上方に搬入される
ことを特徴とするディスク装置。
【請求項６】
請求項５記載のディスク装置において、
前記ディスクローディング装置の前記先端部の最も下に位置する最下部分は、前記基板の高さ以下の高さに配置されている
ことを特徴とするディスク装置。
【発明の詳細な説明】
【技術分野】
【０００１】
本発明は、ディスクローディング装置、及びそれを用いたディスク装置に関する。
【背景技術】
【０００２】
従来、ディスク装置では、ＤＶＤ（Digital Versatile Disk）やＣＤ（Compact Disk）のようなディスクがディスク装置内に搬送されると、そのディスクは、トラバース機構（ディスクローディング装置）のターンテーブルによってクランプされ、ターンテーブルが回転駆動されることにより、回転する。ディスクの回転中に、光ピックアップユニットによって情報の再生／記録が行われる。
【０００３】
この場合、ディスク装置内にディスクが搬送されると、そのディスクに対して、ターンテーブルが接近するように揺動することによって、ディスクとターンテーブルが係合し、その後、クランパとの間でディスクがターンテーブルにクランプされる。
【０００４】
このようにターンテーブルが揺動することによって、ディスクをターンテーブルに係合させる昇降式（揺動式）の技術（例えば実公平３−１３００３４号公報）においては、従来は、ディスクがディスク装置内に搬送されターンテーブルに係合する前の状態でのディスクの面と、クランプされたディスクが再生／記録されている状態でのディスクの面とが実質的に平行になる構成とされていた。
【０００５】
一方、図１７に示すように、ターンテーブル１１１（トラバース機構１１０）が揺動することなくディスクドライブケース１３０に対して固定されたまま、ターンテーブル１１１とディスク（図示せず）が係合する技術が知られている。この技術では、ディスクがディスクドライブケース１３０の外部から水平に（図中ＤＩＳＣ搬送面に沿って）、上記固定されたターンテーブル１１１の上に搬送され、自重でターンテーブル１１１上に落下して、ターンテーブル１１１の突起部１１３にディスクの中心穴が係合し、その後、クランパ（図示せず）との間でディスクがターンテーブル１１１にクランプされる。ターンテーブル１１１が回転駆動されることによって回転するディスクの情報は、光ピックアップユニット１１２によって読み出される。
【０００６】
このようなターンテーブル１１１を揺動させることなくディスクをターンテーブルに係合させる固定式の構成においても、上記昇降式の構成と同様に、ディスクがディスク装置内に搬送されターンテーブル１１１に係合する前の状態でのディスクの面（図中ＤＩＳＣ搬送面）と、クランプされたディスクが再生されている状態でのディスクの面（図中再生面）とが実質的に平行になる構成とされていた。
【０００７】
図１７において、光ピックアップユニット１１２は、光ピックアップユニット１１２の信号処理を行う回路の回路要素１１５と配線（図示せず）によって接続されている。その回路要素１１５は、基板１１６上に搭載されている。ここで、基板１１６や回路要素１１５と、トラバース機構１１０との高さ方向（図中上下方向）の干渉が問題となる。この場合、ディスクドライブケース１３０の高さ方向が十分に大きければ、トラバース機構１０と基板１１６等との干渉が問題となることはなく、トラバース機構１１０と基板１１６等とをディスクドライブケース１３０内に収容することが可能である。
【０００８】
図１７の構成例では、光ピックアップユニット１１２は再生専用であり、再生／記録用の光ピックアップユニットに比べて小型である。また、光ピックアップユニット１１２の信号処理用の回路（回路要素１１５）も、再生／記録用の光ピックアップユニットの信号処理用の回路に比べて、回路規模が小さい。このことから、光ピックアップユニット１１２と接続された基板１１６において、回路要素１１５等を搭載するスペースは小さくて済む。この基板１１６上で必要面積が小さくて済むことを利用して、その基板１１６上に、開口部１１７を形成し、その開口部１１７にトラバース機構１１０を逃がすことで、基板１１６と、トラバース機構１１０との干渉を避けて、トラバース機構１１０と基板１１６等とをディスクドライブケース１３０内に収容するようにしている。
【０００９】
同様に、上記昇降式の構成においても、ディスク装置内の高さ方向が十分に大きい場合や、光ピックアップユニットが再生専用である場合のように、その光ピックアップユニット自体や信号処理用の回路規模が小さい場合には、トラバース機構と基板の干渉が問題となることなく、トラバース機構と基板をディスク装置内に収容することができる。
【００１０】
なお、特開平１１−１９１２５６号公報（特許文献１）には、チェンジャータイプのディスクドライブを外装の中に斜めに設置することで、ディスク挿入口および、ディスク再生面に傾斜がつき、その傾斜がついた状態のままディスクを再生する技術が開示されている。ディスクドライブを水平に設置した場合には、最低でも製品全体の奥行としてディスク外形の奥行が必要になるが、ディスクドライブを斜めに設置することで、装置の奥行方向の小型化が実現される。
【００１１】
【特許文献１】特開平１１−１９１２５６号公報
【発明の開示】
【発明が解決しようとする課題】
【００１２】
ターンテーブルを揺動させることなくディスクをターンテーブルに係合させる固定式の構成や、ターンテーブルを揺動させることによってディスクをターンテーブルに係合させる昇降式の構成において、例えば、ハーフハイトサイズ（通常一般のデスクトップパソコンのＤＶＤ／ＣＤドライブのサイズ）のようにディスク装置内の高さ方向が十分に大きくない場合や、光ピックアップユニット自体や信号処理用の回路規模が大きい場合（回路を構成する回路要素の高さが高い場合を含む）には、ディスクローディング装置と基板の干渉が問題となり、ディスク装置内に収まらない場合があった。
【００１３】
本発明の目的は、ターンテーブルが揺動する昇降式の構成、又は、ターンテーブルが揺動しない固定式の構成において、ディスク装置内の高さ方向が十分に大きくない場合や、光ピックアップユニット自体や信号処理用の回路規模が大きい場合であっても、ディスクローディング装置と基板のディスク装置内への収容を実現し易いディスクローディング装置及びそれを用いたディスク装置を提供することである。
【課題を解決するための手段】
【００１４】
請求項１に記載の発明は、ディスクと係合するターンテーブルを備えたディスクローディング装置であって、前記ディスクが前記ターンテーブルに係合する前に前記ディスクローディング装置に搬入されてきたときの前記ディスクの面である搬送面に対して、前記ディスクが前記ターンテーブルに係合した後に前記ディスクが再生されるときの前記ディスクの面である再生面が所定の角度の傾きを有するように設けられ、前記傾きは、前記ディスクローディング装置のうち前記ディスクが前記ディスクローディング装置に搬入されてきた側の先端部が相対的に下方に配置され、前記ディスクローディング装置のうち前記先端部と反対側の基端部が相対的に上方に配置されることによって設けられている。
【発明を実施するための最良の形態】
【００１５】
以下、本発明のディスクローディング装置の一実施形態につき図面を参照しつつ詳細に説明する。
【００１６】
（第１実施形態）
図１から図７を参照して、本実施形態のディスクローディング装置の第１実施形態について説明する。本実施形態のディスクローディング装置は、ディスク装置の一部として構成される。図１は、本実施形態のディスク装置を示す平面図であり、図２は、その正面図であり、図３から図５は、その側面図である。
【００１７】
図３は、ディスクがディスク装置内に搬送された状態を示し、図４は、ディスクがトラバース機構に接触した状態を示し、図５は、ディスクがトラバース機構に係合した状態を示している。図６及び図７は、固定式のトラバース機構に対して、ディスクを搬送する方法を説明するための図である。図３から図７における図中上方を、本実施形態において「上方」と称し、図中下方を「下方」と称する。
【００１８】
図１から図５において、符号１は、ディスク装置を示している。ディスク装置１は、トラバース機構１０と、基板１５と、ディスクドライブケース３０とを備えている。ディスクドライブケース３０は、概ね奥行き（ディスクの搬入出方向）が長い箱状に形成されている。ディスク装置１のうち、本実施形態のディスクローディング装置は、トラバース機構１０に対応している。
【００１９】
図１及び図３に示すように、トラバース機構１０と基板１５は、ディスクドライブケース３０の内部に収容されている。トラバース機構１０は、その基端部１０ｂにおいて、ディスクドライブケース３０に固定されている。トラバース機構１０は、ターンテーブル１１と、光ピックアップユニット１２とを備えている。
【００２０】
図２及び図３に示すように、ディスクドライブケース３０の正面には、ディスク挿入口２０が設けられている。ディスク４０は、ディスク挿入口２０を介して、ディスクドライブケース３０に対して出し入れされる。図３及び図５の符号Ｓ１は、ディスクドライブケース３０に対して、ディスク４０がディスク挿入口２０を介して搬入出されるときのディスク面（ディスク搬送面）を示している。ディスク搬送面Ｓ１に示すように、ディスク４０は、ディスクドライブケース３０に対して、実質的に水平方向に（ディスクドライブケース３０の底面３０ｄに実質的に平行に）搬入出される。
【００２１】
図５に示すように、ターンテーブル１１は、ディスク４０と係合して、ディスク４０を回転させる。即ち、ターンテーブル１１は、ディスク４０と係合し、その後、クランパー（図示せず）がターンテーブル１１の突起部１１ａに例えば磁力により保持されることにより、ディスク４０がクランプされる。その後、ターンテーブル１１が回転駆動されることにより、ディスク４０が回転する。その回転中のディスク４０に対して、光ピックアップユニット１２が、レーザ光を照射するとともに、ディスク４０からの反射光を読み取る。本例において、光ピックアップユニット１２は、ディスク４０の再生及び記録の両方が可能な再生/記録タイプである。
【００２２】
基板１５には、回路を構成する回路要素１６が搭載されている。回路要素１６は、光ピックアップユニット１２に対して配線（図示しない）によって接続され、光ピックアップユニット１２を介してディスク４０に記録すべき信号及びディスク４０から再生された信号の信号処理を行う。基板１５は、ディスクドライブケース３０内において実質的に水平方向に配されている。
【００２３】
図３から図５に示すように、ディスク４０がターンテーブル１１に係合される際に、トラバース機構１０は、揺動することなく、固定されたままである。即ち、本実施形態のディスク装置１では、固定式のトラバース機構１０が採用されている。固定式のトラバース機構１０では、図６及び図７に示すように、ディスクドライブケース３０の内部に搬送されてきたディスク４０は、ターンテーブル１１に向かって自重で落下し（落とし込まれ）、ターンテーブル１１に係合する。
【００２４】
本実施形態のディスク装置１は、ハーフハイトサイズ（通常一般のデスクトップパソコンのＤＶＤ／ＣＤドライブのサイズ）の製品であるため、比較的小さな同サイズのディスクドライブケース３０内に、トラバース機構１０及び基板１５が収容される必要がある。
【００２５】
ここで、光ピックアップユニット１２自体やその信号処理用の回路の回路規模が大きい（回路要素１６の高さが大きい場合を含む）場合には、光ピックアップユニット１２を搭載するトラバース機構１０と、回路要素１６が設けられる基板１５との干渉（ディスクドライブケース３０の高さ方向：図３〜図５の上下方向の干渉）が問題となる。
【００２６】
そこで、本実施形態では、図３から図５に示すように、トラバース機構１０が斜めに設けられている。即ち、トラバース機構１０の先端部（ターンテーブル１１及び光ピックアップユニット１２が設けられた側）１０ａは、その基端部（ターンテーブル１１及び光ピックアップユニット１２が設けられていない側）１０ｂよりも下に位置するように設けられている。トラバース機構１０の先端部（ディスク挿入口２０に近い側）１０ａは、ディスク搬送面Ｓ１に対して、ディスクドライブケース３０の底部３０ｄの方向に一定の角度ａを持つように構成されている。
【００２７】
図５の符号Ｓ２は、ディスク４０が再生/記録されているときのディスク面（ディスク再生／記録面）を示している。上記のように、トラバース機構１０の先端部１０ａがディスク搬送面Ｓ１に対して、ディスクドライブケース３０の底部３０ｄの方向に一定の角度ａを持つように構成されることで、ディスク搬送面Ｓ１に対して、ターンテーブル１１が一定角度ａだけ傾くので、ディスク４０がクランプされるときには、ディスク再生／記録面Ｓ２に一定の角度ａがつく。このように、ディスク再生／記録面Ｓ２は、ディスクドライブケース３０の底面３０ｄに対して実質的に平行ではなく、ディスク搬送面Ｓ１に対して、例えば３〜５°の角度ａを有するように構成されている。
【００２８】
言い換えれば、上記角度ａの傾きは、ターンテーブル１１のうちディスク４０がディスク挿入口２０を介してトラバース機構１０に搬入されてきた側の部分である第１部分１１ｂが相対的に下方に位置し、ターンテーブル１１のうち第１部分１１ｂと反対側の第２部分１１ｃが相対的に上方に位置するように設けられる。以下にその技術的意義について説明する。
【００２９】
ディスク４０がディスク挿入口２０を介してディスクドライブケース３０に出し入れされる際に、ディスク４０は、トラバース機構１０の基端部１０ｂ側を通らない（図３の左側奥までは搬送されない）。そのため、基端部１０ｂ側には、ディスク４０が通過するためのスペース（ディスクドライブケース３０の高さ方向のスペース）を確保する必要がない。このことから、トラバース機構１０の基端部１０ｂ側は、ディスクドライブケース３０の高さ方向において相対的に上の位置３０ｂに設けられる。
【００３０】
このように、トラバース機構１０の基端部１０ｂ側がディスクドライブケース３０の相対的に上の位置３０ｂに設けられることにより、トラバース機構１０の基端部１０ｂ側の下方に、トラバース機構１０と干渉することなく、基板１５や回路要素１６を配置するスペースを確保することができる。
【００３１】
一方、トラバース機構１０の先端部１０ａ側の上方には、ディスク４０が通るスペースを確保する必要があることから、トラバース機構１０の先端部１０ａ側は、ディスクドライブケース３０の高さ方向において相対的に下の位置３０ａに設けられる。本実施形態のように、光ピックアップユニット１２が再生／記録用であり、その信号処理用の回路規模が大きいとしても、トラバース機構１０の先端部１０ａ側には、基板１５や回路要素１６を存在させる必要がないため（又は、基板１５は存在しても、高さの高い回路要素１６は存在しないため）、トラバース機構１０の先端部１０ａがディスクドライブケース３０の相対的に下の位置３０ａに設けられても、基板１５や回路要素１６との干渉の問題は生じない。
【００３２】
上記の理由から、トラバース機構１０は、ディスクドライブケース３０内において斜めに設けられている。その結果、トラバース機構１０のうち最も下方に位置する部分１０ｄは、ディスクドライブケース３０の高さ方向において、基板１５又は回路要素１６の高さ位置と概ね同じであるか、又は、トラバース機構１０の最下位置１０ｄの方が、基板１５又は回路要素１６よりも低い位置とされている。
【００３３】
本実施形態では、ディスクドライブケース３０の高さ方向におけるスペース効率を可能な限り高めるために、トラバース機構１０の最下位置１０ｄと、基板１５又は回路要素１６の上下方向の位置関係を上述の通りとした。それに代えて、トラバース機構１０の先端部１０ａがその基端部１０ｂよりも下方に位置するようにトラバース機構１０が斜めに設けられさえすれば、トラバース機構１０の最下位置１０ｄは、基板１５又は回路要素１６よりも上に位置する構成であってもよい。上記のようにトラバース機構１０が斜めに配されれば、従来のようにトラバース機構１０が水平に配置される場合に比べて、上下方向のスペース効率が高まるためである。
【００３４】
本実施形態においては、トラバース機構１０のディスク挿入口２０に近い側１０ａ（ターンテーブル１１）を、ディスク挿入口２０（ディスク搬送面Ｓ１）に対してディスクドライブケース３０の底部３０ｄの方向へ一定の角度ａを設けて固定している。この構成では、ディスク４０が通らないトラバース機構１０の基端部１０ｂ側を高い位置に固定して、基板１５や回路要素１６を設置するためのスペースを確保する一方、基板１５や回路要素１６が無いトラバース機構１０の先端部１０ａ側は低い位置に配することで、ディスク４０が通るスペースを確保している。
【００３５】
これにより、ディスクドライブケース３０内の高さ方向が十分に大きくない場合や、光ピックアップユニット１２自体や信号処理用の回路規模（回路要素１６を含む）が大きい場合であっても、トラバース機構１０と基板１５のディスクドライブケース３０内への収容を実現し易い。このように、本実施形態のディスク装置１は、クランプ時のディスク平面Ｓ２が挿入口の挿入面Ｓ１と平行でないディスク外形を利用したスロットインタイプのディスク再生装置である。
【００３６】
（第２実施形態）
次に、図８から図１０を参照して、第２実施形態について説明する。
なお、第２実施形態において、上記第１実施形態と同様の内容についての説明は省略し、その特徴部分を中心に説明する。
【００３７】
図８は、ディスク４０がディスクドライブケース３０ｇに搬送される途中の状態を示し、図９は、ディスク４０のディスクドライブケース３０ｇへの搬送が完了した状態を示し、図１０は、ディスク４０がターンテーブル１１ｇに係合された状態を示している。
【００３８】
上記第１実施形態のトラバース機構１０は、固定式であったのに対して、第２実施形態のトラバース機構１０ｇは昇降式である（図８から図１０参照）。即ち、トラバース機構１０ｇの基端部１０ｉ側を回動中心として揺動し、その基端部１０ｉ側は、ディスクドライブケース３０ｇの高さ方向において相対的に上の位置３０ｆに設けられる。
【００３９】
図１０に示すように、トラバース機構１０ｇのターンテーブル１１ｇにディスク４０が係合される状態（トラバース機構１０ｇが立ち上がった状態）の前までは、図８及び図９に示すように、トラバース機構１０ｇは傾斜した状態にあり、トラバース機構１０ｇの先端部１０ｈは、その基端部１０ｉよりも下に位置するように設けられている。
【００４０】
即ち、図８及び図９に示すように、トラバース機構１０ｇが下向きに傾斜した状態において、トラバース機構１０ｇの先端部１０ｈの最下位置１０ｊは、ディスクドライブケース３０の高さ方向において、基板１５又は回路要素１６の高さ位置と概ね同じであるか、又は、トラバース機構１０ｇの先端部１０ｈの最下位置１０ｊの方が、基板１５又は回路要素１６よりも低い位置とされている。
【００４１】
上記第１実施形態で説明したように、トラバース機構１０ｇの基端部１０ｉ側がディスクドライブケース３０の相対的に上の位置３０ｆに設けられることにより、トラバース機構１０ｇの下方に、トラバース機構１０ｇと干渉することなく、基板１５や回路要素１６を配置するスペースを確保することができる。また、トラバース機構１０ｇの先端部１０ｈ側には、基板１５や回路要素１６が存在しないため（又は、基板１５は存在しても、高さの高い回路要素１６は存在しないため）、トラバース機構１０ｇの先端部１０ｈがディスクドライブケース３０の下の位置３０ｅに配置されていても、基板１５や回路要素１６との干渉の問題は生じない。
【００４２】
上記トラバース機構１０が固定式の上記第１実施形態では、図３に示したように、ディスク４０を自重で落とし込んでターンテーブル１１に係合させるため、ディスク挿入口２０がターンテーブル１１よりも十分に高い位置に設けられ、そのディスク挿入口２０からディスク４０がディスクドライブケース３０内に搬入されていた。これに対して、昇降式の第２実施形態では、ターンテーブル１１ｇの直上にディスク４０が搬入され（図８及び図９参照）、その後は、トラバース機構１０ｇの揺動によりターンテーブル１１ｇにディスク４０を係合させ、光ピックアップユニット１２ｇを用いてディスク４０の再生／記録が行われる（図１０参照）。
【００４３】
このようにトラバース機構１０ｇの揺動によりディスク４０をターンテーブル１１ｇに係合させるので、ディスク挿入口２０ｇは、トラバース機構１０ｇが立ち上がる前の状態、即ち、ディスク４０が係合する前の状態（図８及び図９）のターンテーブル１１ｇよりも僅かに高い位置に設けられている。また、ディスク４０の搬送時には、ターンテーブル１１ｇが、そのターンテーブル１１ｇのディスク挿入口２０ｇに近い側ほど、ディスクドライブケース３０の底部３０ｄに接近するように傾斜していることに対応して、ディスク挿入口２０ｇは、その開口断面が、ディスク４０の搬入方向後方（図中右側）に行くに連れて、漸次低い位置となるように形成されている。即ち、図８から図１０のように側面視したときに、ディスク挿入口２０ｇは、右側が下がった形状に構成されている。
【００４４】
図９において、ディスク４０が搬送されるときのディスク面を符号Ｓ１ｇで示し、図１０において、ディスク４０の再生／記録が行われるときのディスク面を符号Ｓ２ｇで示す。ディスク搬送面Ｓ１ｇは、ディスクドライブケース３０ｇの底面３０ｄに対して実質的に平行ではなく、ディスク４０は、ディスクドライブケース３０ｇに対して、斜め上向きに搬入される。ディスク再生／記録面Ｓ２ｇは、実質的に水平方向に沿っており、ディスクドライブケース３０ｇの底面３０ｄに対して実質的に平行である。ディスク搬送面Ｓ１ｇとディスク再生／記録面Ｓ２ｇの角度ａは、例えば３〜５°である。
【００４５】
トラバース機構１０ｇの先端部１０ｈ側には、挿入口閉じ部材（二重挿入抑制部材）５０が設けられている。挿入口閉じ部材５０の先端部には、立ち上がり壁部５１が形成されている。挿入口閉じ部材５０は、トラバース機構１０ｇに固定的に設けられ、トラバース機構１０ｇの揺動に対応して、挿入口閉じ部材５０の位置も変わる。挿入口閉じ部材５０は、トラバース機構１０ｇが立ち上がった状態で（図１０）、その立ち上がり壁部５１がディスク挿入口２０ｇの近傍にまで延びるように設けられている。
【００４６】
挿入口閉じ部材５０は、ディスク４０の二重挿入を防止する機能を有する。即ち、挿入口閉じ部材５０は、ディスクドライブケース３０内に一枚のディスク４０が搬入された後は（図１０参照）、ディスク挿入口（搬入経路）２０ｇを塞いで、ディスクドライブケース３０の内部に他のディスク（図示せず）が誤って搬入されることを抑制する。
【００４７】
図１０に示すように、トラバース機構１０ｇが水平位置まで立ち上がり、ディスク４０がクランプされているときには、挿入口閉じ部材５０の立ち上がり壁部５１がディスク挿入口２０ｇと概ね同じ高さに位置し、ディスク挿入口２０ｇを内側から閉じる構成とされている。これにより、ディスク挿入口２０ｇから他のディスク（図示せず）がディスクドライブケース３０の内部に誤搬入されることが抑制される。一方、図８及び図９に示すように、トラバース機構１０ｇが傾斜した状態にあるときには、ディスク挿入口２０ｇからのディスク４０の搬入出を妨げないように、挿入口閉じ部材５０の立ち上がり壁部５１は、ディスク挿入口２０ｇよりも下方位置に下がり、ディスク挿入口２０ｇを開放させる構成とされている。
【００４８】
従来一般の技術では、ディスクの二重挿入の防止のためには、ディスクドライブケースの外部に、ディスクの挿入後にはディスク挿入口を外側からカバーし、ディスクの搬出後には、ディスク挿入口の上記カバーを解放するように動作するシャッター部材（図示せず）が設けられていた。この従来技術では、シャッター部材が別部材（トラバース機構とは独立した機構で動作する部材）として設けられていた。これに対して、本実施形態の挿入口閉じ部材５０は、トラバース機構１０ｇの揺動と共によって動作するように構成され、その挿入口閉じ部材５０を動作させるための独立した機構が不要となることから、コストが低減される。
【００４９】
本実施形態では、上記のように、ディスク搬送面Ｓ１ｇとディスク再生・記録面Ｓ２ｇとが所定の角度ａを持つように、ディスクの搬送時にはトラバース機構１０ｇが下向きに傾いている。このことから、ディスク４０の搬送のためのスペースを確保しつつ、基板１５等とトラバース機構１０ｇとをディスクドライブケース３０ｇ内に収容できるようにしている。また、ディスク搬送面Ｓ１ｇとディスク再生・記録面Ｓ２ｇとが所定の角度ａを持つ構成であり、ディスク４０の搬送時と再生／記録時との間では、トラバース機構１０ｇが所定の角度ａだけ揺動するため、その揺動動作を利用して、ディスク４０の二重挿入を防止する動作を行う挿入口閉じ部材５０を容易に設けることができる。
【００５０】
（第３実施形態）
次に、図１１から図１６を参照して、第３実施形態について説明する。
なお、第３実施形態において、上記実施形態と同様の内容についての説明は省略する。
【００５１】
図１１は、ディスク４０のディスクドライブケース３０ｐへの搬送が完了した状態を示し、図１２は、ディスク４０がターンテーブル１１ｐに係合された状態を示している。図１３及び図１４は、固定式のトラバース機構に対して、ディスクを搬送する方法を説明するための図である。
【００５２】
第３実施形態のトラバース機構１０ｐは固定式である。ディスク装置１ｐは、ディスク搬送部品６０を備えている。ディスク搬送部品６０は、ディスクドライブケース３０ｐの外部において、ディスク４０に対して上から被さるような形でディスク４０を保持する。その後、そのディスク４０が保持されたディスク搬送部品６０ごと、ディスク挿入口２０ｐから、実質的に水平方向の搬送面Ｓ１ｐに沿って、ディスクドライブケース３０ｐの内部に搬入される（図１１及び図１３参照）。
【００５３】
その後、図１２及び図１４に示すように、ディスク搬送部品６０は、回動軸６１を中心として下方に揺動し、これにより、ディスク搬送部品６０に保持されたディスク４０がターンテーブル１１ｐに落とされ、ターンテーブル１１ｐに係合させられる。その後、クランパー（図示せず）によってディスク４０がクランプされ、光ピックアップユニット１２ｐを用いてディスク４０の再生が行われる。ディスク４０が再生されているときのディスク面を再生面Ｓ２ｐとする。ディスク搬送面Ｓ１ｐとディスク再生面Ｓ２ｐの角度ａは、例えば３〜５°である。
【００５４】
上記実施形態と同様に、トラバース機構１０ｐは、その基端部１０ｒ側がディスクドライブケース３０ｐの相対的に上の位置３０ｉに設けられることにより、トラバース機構１０ｐの下方に、トラバース機構１０ｐと干渉することなく、基板１５や回路要素１６を配置するスペースを確保することができる。また、トラバース機構１０ｐの先端部１０ｑ側には、基板１５や回路要素１６が存在しないため（又は、基板１５は存在しても、高さの高い回路要素１６は存在しないため）、トラバース機構１０ｐの先端部１０ｑがディスクドライブケース３０ｐの相対的に下の位置３０ｈに配置されていても、基板１５や回路要素１６との干渉の問題は生じない。
【００５５】
図１１、図１２、図１５及び図１６に示すように、ディスク搬送部品６０の先端部の上面には、挿入口閉じ部材（二重挿入抑制部材）６２が設けられている。挿入口閉じ部材６２は、回動軸６３を中心として回動自在に設けられている（図１６の符号Ｒ１参照）。また、ディスクドライブケース３０ｐの一対の内側壁には、それぞれ内側（図１１及び図１２の紙面に直交する向き）に向けて突出するピン３０ｔが固定的に設けられている。ディスクドライブケース３０ｐの内側壁においてピン３０ｔが設けられた位置（高さ方向の位置）は、図１１に示すように、搬送面Ｓ１ｐに沿って搬送された状態のディスク搬送部品６０よりも低い位置であり、図１２に示すように、再生面Ｓ２ｐに沿う位置にあるディスク搬送部品６０よりも高い位置にある。
【００５６】
図１５及び図１６に示すように、挿入口閉じ部材６２は、片側ずつディスク搬送部品６０よりも幅がＬ１だけ大きく形成されている（以下、挿入口閉じ部材６２のその領域を幅広領域と称する）。ピン３０ｔは、それぞれディスクドライブケース３０ｐの内側壁から内側に向けて延在するように設けられている。ピン３０ｔの長さは、そのピン３０ｔの先端部３０ｕが、それぞれ上記Ｌ１として示した挿入口閉じ部材６２の幅広領域には達する（接触する）がディスク搬送部品６０には達しない（接触しない）位置となるような長さに設定されている。
【００５７】
図１１及び図１５に示すように、ディスク搬送部品６０は、ディスク挿入口２０ｐを介して搬入出される際には、挿入口閉じ部材６２がディスク搬送部品６０の上面と接触するように倒れた状態のまま、ディスク挿入口２０ｐから出し入れされる。図１１に示すように、ディスク搬送部品６０がディスクドライブケース３０ｐの内部に搬入された後、ディスク搬送部品６０が回動軸６１を中心として下向きに回動すると、その回動量に応じて、挿入口閉じ部材６２とピン３０ｔとの距離（ディスク搬送部品６０の搬入時にはピン３０ｔよりも上方にあった挿入口閉じ部材６２との距離）が漸次小さくなり、やがてピン３０ｔが挿入口閉じ部材６２の幅広領域（Ｌ１）に接触する（図１５参照）。
【００５８】
その図１５の状態から、ディスク搬送部品６０が更に回動して、ディスク搬送部品６０が、ピン３０ｔが設けられた高さ位置よりも相対的に下方に位置するようになると、図１６に示すように、挿入口閉じ部材６２はその幅広領域Ｌ１にてピン３０ｔに引っ掛けられる。これにより、挿入口閉じ部材６２は、回動軸６３を中心として回動し、ディスク搬送部品６０との相対的な関係では、ピン３０ｔによって吊り上げられた状態となる。
【００５９】
図１６に示すように、挿入口閉じ部材６２がディスク搬送部品６０に対して相対的に立ち上がると、図１２に示すように、挿入口閉じ部材６２は、ディスク挿入口２０ｐを内側から閉じ、これにより、ディスクドライブケース３０ｐの外部から他のディスク（図示せず）が誤って二重挿入されることが抑制される。図１２に示すように、ディスク４０がターンテーブル１１ｐに係合した後は、他のディスクが誤挿入されることが抑制される。
【００６０】
その後、ディスク４０がディスクドライブケース３０ｐから搬出される際には、ディスク搬送部品６０がディスク搬送面Ｓ１ｐに沿う位置まで回動することによって（図１１）、自ずと挿入口閉じ部材６２は、ディスク搬送部品６０の上面に接触するように倒れる（図１５）。このように挿入口閉じ部材６２が倒れた状態となることにより、ディスク挿入口２０ｐが開放され、そのディスク挿入口２０ｐからディスク搬送部品６０がディスクドライブケース３０ｐの外部に搬出される。
【００６１】
本実施形態では、上記のように、ディスク搬送面Ｓ１ｐとディスク再生・記録面Ｓ２ｐとが所定の角度ａを持つように、トラバース機構１０ｐが下向きに傾いた状態で固定されている。このことから、ディスク４０の搬送のためのスペースを確保しつつ、基板１５等とトラバース機構１０ｐとをディスクドライブケース３０ｐ内に収容できるようにしている。また、ディスク搬送面Ｓ１ｐとディスク再生・記録面Ｓ２ｐとが所定の角度ａを持つ構成であり、ディスク４０の搬送時と再生時との間では、ディスク搬送部品６０が所定の角度ａだけ揺動するため、その揺動動作を利用して、ディスク４０の二重挿入を防止する動作を行う挿入口閉じ部材６２を容易に設けることができる。
【００６２】
なお、上記第１〜第３実施形態のディスク装置は、パーソナルコンピュータ、ＤＶＤレコーダー、ＣＤコンポに使用されるＣＤ、ＤＶＤドライブのディスクローディング装置などに適用可能である。
【００６３】
上記実施形態では、以下の項が開示される。
【００６４】
（項１）
ディスク４０と係合するターンテーブル１１を備えたディスクローディング装置１０であって、前記ディスク４０が前記ターンテーブル１１に係合する前に前記ディスクローディング装置１０に搬入されてきたときの前記ディスク４０の面である搬送面Ｓ１に対して、前記ディスク４０が前記ターンテーブル１１に係合した後に前記ディスク４０が再生されるときの前記ディスク４０の面である再生面Ｓ２が所定の角度ａの傾きを有するように設けられ、前記傾きは、前記ディスクローディング装置１０のうち前記ディスク４０が前記ディスクローディング装置１０に搬入されてきた側の先端部１０ａが相対的に下方に配置され、前記ディスクローディング装置１０のうち前記先端部１０ａと反対側の基端部１０ｂが相対的に上方に配置されることによって設けられることを特徴とするディスクローディング装置。
【００６５】
項１によれば、前記ディスクローディング装置１０の前記先端部１０ａの上方に前記ディスク４０が搬入されるためのスペースを確保し易い一方、前記ディスクローディング装置１０の前記基端部１０ｂの下方に光ピックアップユニット１２の信号の信号処理を行う回路等が形成された基板１５を設置するためのスペースを確保し易い。
【図面の簡単な説明】
【００６６】
【図１】本発明のディスクローディング装置の第１実施形態を含むディスク装置を示す平面図である。
【図２】本発明のディスクローディング装置の第１実施形態を含むディスク装置を示す正面図である。
【図３】本発明のディスクローディング装置の第１実施形態を含むディスク装置の側面図であり、ディスクがディスク装置内に搬入された状態を示す図である。
【図４】本発明のディスクローディング装置の第１実施形態を含むディスク装置の側面図であり、ディスクがターンテーブルに落とし込まれる状態を示す図である。
【図５】本発明のディスクローディング装置の第１実施形態を含むディスク装置の側面図であり、ディスクがターンテーブルに係合し、ディスク装置内にクランプされた状態を示す図である。
【図６】本発明のディスクローディング装置の第１実施形態を含むディスク装置の側面図であり、固定式のトラバース機構に対してディスクを搬送する方法を説明するための図である。
【図７】本発明のディスクローディング装置の第１実施形態を含むディスク装置の側面図であり、固定式のトラバース機構に対してディスクを搬送する方法を説明するための他の図である。
【図８】本発明のディスクローディング装置の第２実施形態を含むディスク装置の側面図であり、ディスクがディスク装置内に搬入される途中の状態を示す図である。
【図９】本発明のディスクローディング装置の第２実施形態を含むディスク装置の側面図であり、ディスクのディスク装置内への搬入が完了した状態を示す図である。
【図１０】本発明のディスクローディング装置の第２実施形態を含むディスク装置の側面図であり、ディスクがターンテーブルに係合し、ディスク装置内にクランプされた状態を示す図である。
【図１１】本発明のディスクローディング装置の第３実施形態を含むディスク装置の側面図であり、ディスクのディスク装置内への搬入が完了した状態を示す図である。
【図１２】本発明のディスクローディング装置の第３実施形態を含むディスク装置の側面図であり、ディスクがターンテーブルに係合し、ディスク装置内にクランプされた状態を示す図である。
【図１３】本発明のディスクローディング装置の第３実施形態を含むディスク装置の側面図であり、固定式のトラバース機構に対してディスクを搬送する方法を説明するための図である。
【図１４】本発明のディスクローディング装置の第３実施形態を含むディスク装置の側面図であり、固定式のトラバース機構に対してディスクを搬送する方法を説明するための他の図である。
【図１５】本発明のディスクローディング装置の第３実施形態に用いられる挿入口閉じ部材の動作を説明するための概略図である。
【図１６】本発明のディスクローディング装置の第３実施形態に用いられる挿入口閉じ部材の動作を説明するための他の概略図である。
【図１７】従来のディスク装置を示す側面図である。
【符号の説明】
【００６７】
１  ディスク装置
１ｐ  ディスク装置
１０  トラバース機構
１０ａ  先端部
１０ｂ  基端部
１０ｄ  最下位置
１０ｇ  トラバース機構
１０ｈ  先端部
１０ｉ  基端部
１０ｊ  最下位置
１０ｐ  トラバース機構
１０ｑ  先端部
１０ｒ  基端部
１１  ターンテーブル
１１ａ  突起部
１１ｂ  第１部分
１１ｃ  第２部分
１１ｇ  ターンテーブル
１１ｐ  ターンテーブル
１２  光ピックアップユニット
１２ｇ  光ピックアップユニット
１２ｐ  光ピックアップユニット
１５  基板
１６  回路要素
２０  ディスク挿入口
２０ｇ  ディスク挿入口
２０ｐ  ディスク挿入口
３０  ディスクドライブケース
３０ａ  ディスクドライブケースの相対的に下の位置
３０ｂ  ディスクドライブケースの相対的に上の位置
３０ｄ  底面
３０ｅ  ディスクドライブケースの相対的に下の位置
３０ｆ  ディスクドライブケースの相対的に上の位置
３０ｇ  ディスクドライブケース
３０ｈ  ディスクドライブケースの相対的に下の位置
３０ｉ  ディスクドライブケースの相対的に上の位置
３０ｐ  ディスクドライブケース
３０ｔ  ピン
４０  ディスク
５０  挿入口閉じ部材
５１  立ち上がり壁部
６０  ディスク搬送部品
６１  回動軸
６２  挿入口閉じ部材
６３  回動軸
１１０  トラバース機構
１１１  ターンテーブル
１１２  光ピックアップユニット
１１３  突起部
１１５  回路要素
１１６  基板
１１７  開口部
１３０  ディスクドライブケース
ａ  角度
Ｓ１  ディスク搬送面
Ｓ２  ディスク再生／記録面
Ｓ１ｇ  ディスク搬送面
Ｓ２ｇ  ディスク再生／記録面
Ｓ１ｐ  ディスク搬送面
Ｓ２ｐ  ディスク再生面
【図１】
2006164469.tif 000003
【図２】
2006164469.tif 000004
【図３】
2006164469.tif 000005
【図４】
2006164469.tif 000006
【図５】
2006164469.tif 000007
【図６】
2006164469.tif 000008
【図７】
2006164469.tif 000009
【図８】
2006164469.tif 000010
【図９】
2006164469.tif 000011
【図１０】
2006164469.tif 000012
【図１１】
2006164469.tif 000013
【図１２】
2006164469.tif 000014
【図１３】
2006164469.tif 000015
【図１４】
2006164469.tif 000016
【図１５】
2006164469.tif 000017
【図１６】
2006164469.tif 000018
【図１７】
2006164469.tif 000019